(57)【特許請求の範囲】
【請求項１】
（ａ）  熱可塑性パイル繊維（１１）で構成されたパイル糸を基布（１９）に植設してパイル（１２）に形成したパイル布帛を表面材とするダストコントロールマットにおいて、（ｂ）  パイル（１２）の先端が熱溶融して窪み、熱溶融したパイル繊維（１１）の溶融塊（１６）が表面に固着した凹部（１７）が形成されており、（ｃ）  その凹部（１７）のパイルの先端において隣り合うパイル繊維（１１）とパイル繊維（１１）が溶融塊（１６）を介して連結されており、（ｄ）パイル長が５ｍｍ以上であり、（ｅ）  パイルの先端において隣り合うパイル繊維（１１）とパイル繊維（１１）の間には、塵埃がパイル層内部に入り込むことが出来る隙間（４１）が残存しており、（ｆ）  その凹部（１７）において隣り合うパイル（１２）とパイル（１２）の間も溶融塊（１６）を介して連結されており、（ｇ）  パイル糸が、下撚を有する複数本の下撚単糸（２１・２１）に上撚を加えて合撚され、周側面に合撚による螺旋状撚目（２２）を有する合撚糸であり、（ｈ）
隣り合うパイル（１２）とパイル（１２）の間にも溶融塊（１６）に塞がれない隙間（４２）が残存しており、（ｉ）  パイル繊維（１１）とパイル繊維（１１）の間が溶融塊（１６）を介して連結された橋架け網状構造になっており、（ｊ）  パイル繊維間を連結している溶融塊（１６）が凹部（１７）の内部に細かい起伏のある梨地模様を形成しているダストコントロールマット。
【請求項２】
パイル繊維（１１）が繊維ポリマーに顔料を練り込んで紡糸した原着合成繊維である請求項１のダストコントロールマット。
【発明の詳細な説明】
【技術分野】
【０００１】
本発明は、屋内外の出入口に置き敷きして出入口を通過する歩行者の靴裏に付着している塵埃を捕捉するために使用されるタフテッドパイル布帛を表面材とするダストコントロールマットに関するものである。
【背景技術】
【０００２】
ダストコントロールマットの塵埃捕捉性を高めるためにテープ状に裁断した不織布テープをパイル糸に使用すること（例えば、特許文献１参照）、モノフイラメント糸を合撚して硬直したパイル糸を使用すること（例えば、特許文献２参照）、熱融着性芯鞘糸条を合撚して熱融着し剛直にしたパイル糸を使用すること（例えば、特許文献３，４参照）、或いは、パイル全体を加熱溶融して剛直にすること（例えば、特許文献５参照）が知られている。
【０００３】
レーザー光線を照射してパイル繊維を加熱溶融してパイル面に図柄を描出することは公知であり、レーザー光線を発振する発振器と、発振器から出射されるレーザー光線を集光して布帛の表面に当てる照射レンズと、発振器から出射されるレーザー光線を照射レンズに導く反射板と、布帛の表面に照射されるビームスポットを移動するスポット部位移動手段と、発振器からビームスポットまでのレーザー光線の光路の距離を演算する光路演算手段と、レーザー光線のビーム径を調整するビーム径調整手段と、光路に応じて照射レンズの焦点を調整する焦点調整手段によってレーザー光線照射装置を構成し、照射レンズから布帛の表面までの距離が変化しても、ビームスポット径を一定に保つためにレーザー光線のビーム径や照射レンズの焦点を調整する調整手段も公知である（例えば、特許文献６参照）。
【先行技術文献】
【特許文献】
【０００４】
【特許文献１】実用新案登録第３１０３２９９号公報
【特許文献２】特開平１０−６６６７４号公報
【特許文献３】特開２０００−２３８９９（特許第４１７５７０２号）
【特許文献４】特開２０００−２８２３３９（特許第３５６４３２０号）
【特許文献５】特開２００９−５０６０３（特許第５３００２２９号）
【特許文献６】特開２００７−２２２９０２号公報
【発明の概要】
【発明が解決しようとする課題】
【０００５】
パイルを加熱溶融して剛直にすれば、パイル層は剣山のように硬くなり、靴裏に付着している塵埃の掻き取り機能が付与されてダストコントロールマットの塵埃捕捉効果は高まるが、素足が触れて負傷する危険であり、パイル自体もクッション性を失って折れ曲がり易くなり、ダストコントロールマットの耐用性が損なわれる。
【０００６】
そこで本発明は、クッション性を損なうことなくダストコントロールマットの塵埃捕捉性を高めることを目的とする。
【課題を解決するための手段】
【０００７】
本発明に係るダストコントロールマットは、（ａ）  熱可塑性パイル繊維１１で構成されたパイル糸を基布１９に植設してパイル１２に形成したパイル布帛を表面材とし、（ｂ）  そのパイル１２の先端が熱溶融して窪み、熱溶融したパイル繊維１１の溶融塊１６が表面に固着した凹部１７が形成されており（図１参照）、（ｃ）  その凹部１７のパイルの先端において隣り合うパイル繊維１１とパイル繊維１１が溶融塊１６を介して連結されており、（ｄ）パイル長が５ｍｍ以上であり、（ｅ）  パイルの先端において隣り合うパイル繊維１１とパイル繊維１１の間には、塵埃がパイル層内部に入り込むことが出来る隙間４１が残存しており、（ｆ）  その凹部１７において隣り合うパイル１２とパイル１２の間も溶融塊１６を介して連結されており（図２，図３参照）、（ｇ）  パイル糸が、下撚を有する複数本の下撚単糸２１・２１に上撚を加えて合撚され、周側面に合撚による螺旋状撚目２２を有する合撚糸であり（図４参照）、（ｈ）  隣り合うパイル１２とパイル１２の間にも溶融塊１６に塞がれない隙間４２が残存しており、（ｉ）  パイル繊維１１とパイル繊維１１の間が溶融塊１６を介して連結された橋架け網状構造になっており、（ｊ）  パイル繊維間を連結している溶融塊１６が凹部１７の内部に細かい起伏のある梨地模様を形成していることを第１の特徴とする。
【０００８】
本発明に係るダストコントロールマットの第２の特徴は、上記第１の特徴に加えてパイル繊維１１が繊維ポリマーに顔料を練り込んで紡糸した原着合成繊維である点にある。
【発明の効果】
【０００９】
本発明では、パイル面の表面だけを加熱してパイル面の表面を形成しているパイル繊維１１の先端部分だけを加熱してパイル面の表面に溶融塊１６を形成している。
この溶融塊１６は、パイル繊維１１に比して硬く、パイル層１３に押し上げられるようにパイル面に介在して靴裏に弾性的に触れ、靴裏に付着している塵埃を掻き取るので、ダストコントロールマットの塵埃捕捉効果が高まる。
【００１０】
その塵埃を捕捉する凹部１７の表面は、隣り合うパイル繊維１１とパイル繊維１１の間が溶融塊１６を介して連結されており、隣り合うパイル１２とパイル１２の間には溶融塊１６に塞がれない隙間４２が残存しており、その隙間４２から掻き取られた塵埃がパイル層内部１３に落ち込むので、掻き取られた塵埃が靴裏を汚染することはない。
【００１１】
塵埃捕捉機能を発揮する溶融塊１６は、パイル層１３に押し上げられるように凹部１７の表面に介在するので、この溶融塊１６によってダストコントロールマットのクッション性が損なわれることはなく、溶融塊１６に触れて擦り傷を負う危険も回避される。
【００１２】
本発明では、パイル繊維１１に原着合成繊維を使用しているので、溶融塊１６を形成するために加熱してもパイル面の変退色が回避される。
【図面の簡単な説明】
【００１３】
【図１】本発明に係るダストコントロールマットの一部拡大斜視図である。
【図２】本発明に係るダストコントロールマットのパイル面のマイクロスコープ写真を模写して示すパイル面の拡大平面図である。
【図３】図２のパイル面に介在する溶融塊だけを模写して示すパイル面の拡大平面図である。
【図４】本発明に係るダストコントロールマットの一部拡大斜視図である。
【発明を実施するための形態】
【００１４】
パイル１２の先端で隣り合うパイル繊維１１とパイル繊維１１の間、および、パイル面で隣り合うパイル１２とパイル１２の間には、塵埃がパイル層内部に入り込むことが出来る隙間４１・４２を残してパイル繊維１１とパイル繊維１１の間が溶融塊１６を介して連結された橋架け網状構造にし、又、凹部１７の内部の表面に細かい起伏のある梨地模様を描出するには、走査するレーザー光線によってパイル面を加熱し、溶融塊１６をパイル繊維１１の先端に形成する。
【００１５】
隣り合うパイル繊維間や隣り合うパイル間の連結箇所では、その隣り合う複数本のパイル繊維の溶融塊１６が触れ合って大きい溶融塊を形成し塵埃捕捉機能を発揮している。
従って、個々のパイル繊維１１の先端に発生する溶融塊１６は左程大きくなくてもよく、その粒径は、パイル繊維１１の太さの５倍以下であってもよい。
【００１６】
本発明では、パイル繊維の溶融塊１６が塵埃捕捉機能を発揮するので、パイル繊維の単繊維繊度を左程太くする必要はなく、その単繊維繊度が２０ｄｔｅｘ以下で周側面に合撚による螺旋状撚目を有しない無撚マルチフイラメント糸（図１参照）と、単繊維繊度２０ｄｔｅｘ以下のパイル繊維１１によって構成される下撚を有する複数本の下撚単糸２１・２１に上撚を加えて合撚され、周側面に合撚による螺旋状撚目２２を有する合撚糸（図４参照）の何れも使用し得る。
【００１７】
隣り合うパイル１２とパイル１２の間に残される隙間４２を広くしたい場合には、螺旋状撚目２２を有する合撚糸（図４参照）をパイル糸に使用するとよい。隣り合うパイル１２とパイル１２の間に残される隙間４２を細かくしたい場合には、螺旋状撚目を有しない無撚マルチフイラメント糸をパイル糸に使用するとよい。パイル１２は、カットパイルでもループパイルでもよい。
【００１８】
パイル面に発生した溶融塊は、パイル繊維に比して硬く、パイル層に弾性的に押し上げられてパイル面に介在しているので、長く続く通路や廊下に敷き込んで使用するダストコントロールマットでは、歩行者の靴裏に付着している塵埃を掻き取る塵埃捕捉機能を発揮する。
【実施例】
【００１９】
（パイル布帛）
目付け１２０ｇ／ｍ2 のポリエステル繊維性不織布を基布とし、単繊維繊度が１０ｄｔｅｘで総繊度が１３７０ｄｔｅｘの原着ナイロン繊維マルチフイラメント糸をパイル糸とし、ニードル間ゲージ２５．４ｍｍ（１／８吋ゲージ）のカットパイル用タフテッド機においてパイル植設密度（ステッチゲージ）を９ステッチ／２５．４ｍｍとしてタフティングしパイル長１０ｍｍ・パイル目付け９００ｇ／ｍ2 のタフテッドパイル布帛を得た。
【００２０】
（仕上加工）
このパイル布帛の裏面にプレコートとしてニトリルブタジエンラテックスコンパウンドを塗布して乾燥し、次いでパイル面に硼砂と炭酸水素ナトリウムとアルギン酸ナトリウムを主材とする固形分濃度５質量％の前処理剤水溶液をスプレー装置によって３００ｇ／ｍ2 塗布して乾燥し、平均出力が８００Ｗでレーザー光線の波長が１０．６μｍ、レーザー光線移動速度４０００ｍｍ／分、マーク線太さ０．４ｍｍのイタリヤ・ハイテック社製の炭酸ガスレーザー光線照射装置に通してレーザー光線を模様状に照射し、パイル面のパイル繊維を加熱して溶融塊を模様状にパイル面に形成し、次いで、水洗して前処理剤を洗浄除去し、乾燥機に通して仕上げた。
【００２１】
（仕上がり状態）
前処理剤水溶液のスプレー乾燥後のカットパイルは、先端が前処理剤の乾燥塗膜に固められて尖端形を成しており、その先端だけがレーザー光線に加熱されて溶融塊が発生し、その溶融塊によって尖端形にセットされ、水洗されて前処理剤の固形分が溶解除去されてカットパイルが膨らみを回復してペンシルポイント形を呈した。
レーザー光線の照射時にレーザー光線の出力を変化させた凹部には、カットパイルの先端のパイル繊維の熱収縮の度合いの変化によって斜面が形成された。
【産業上の利用可能性】
【００２２】
本発明によって得られるパイル布帛は、ダストコントロールマットのほか、カーマット（車両足元マット）、カーペット、タイルカーペット等の敷物類に利用される。
【符号の説明】
【００２３】
１１：パイル繊維
１２：パイル
１３：パイル層
１６：溶融塊
１７：凹部
１９：基布
２１：下撚単糸
２２：螺旋状撚目
４１：隙間
４２：隙間
【要約】
【課題】クッション性を損なわずにダストコントロールマットの塵埃捕捉性を高める。
【解決手段】  熱可塑性パイル繊維１１で構成されたパイル糸を基布１９に植設してパイル１２に形成したパイル布帛を表面材とするダストコントロールマットのパイル面に、パイル１２の先端が熱溶融して窪み、熱溶融したパイル繊維１１の溶融塊１６が表面に固着した凹部１７を形成し、その凹部１７のパイルの先端において隣り合うパイル繊維１１とパイル繊維１１を溶融塊１６を介して連結すると共に、凹部１７において隣り合うパイル１２とパイル１２の間も溶融塊１６を介して連結する。パイル繊維間を連結している溶融塊１６が凹部１７の内部は、細かい起伏のある梨地模様にする。
【選択図】図１【図１】
0005757597.tif 000002
【図２】
0005757597.tif 000003
【図３】
0005757597.tif 000004
【図４】
0005757597.tif 000005